(57)【要約】【課題】照明用ランプによる可視光通信において、複数の可視光通信用データを容易に入手可能な照明制御システムを提供する。【解決手段】照明制御システム１は、照明制御信号および特定の制御信号を伝送線７に出力する主操作盤装置２と、照明用ランプ８，８が配設される器具本体５ａ、複数の可視光通信用データを記憶している記憶部１７、記憶部１７から特定の制御信号に対応した可視光通信用データを読み出し可視光通信用データに応じた通信信号を生成するとともに照明制御信号に応じた調光信号を生成する主制御部１８、照明用ランプ８，８が調光信号および通信信号に応じた調光点灯をするように点灯回路部２０を制御する点灯制御部１９を有する照明器具５と、照明用ランプ８，８から放射された可視光より可視光通信用データを受信する受信装置６を具備している。【選択図】図１
2009048988.tif 000002
【特許請求の範囲】
【請求項１】
照明制御信号および特定の制御信号を伝送線に出力する主操作盤装置と；
照明用ランプが配設される器具本体と、前記照明用ランプを点灯する点灯回路部と、複数の可視光通信用データおよびこの可視光通信用データに対応する特定の制御信号を記憶している記憶部と、主操作盤装置から伝送線を介して照明制御信号および特定の制御信号が入力され、前記記憶部から特定の制御信号に対応した可視光通信用データを読み出し可視光通信用データに応じた通信信号を生成するとともに照明制御信号に応じた調光信号を生成する主制御部と、前記照明用ランプが前記調光信号および前記通信信号に応じた調光点灯をするように点灯回路部を制御する点灯制御部とを有する照明器具と；
照明用ランプから放射された可視光より可視光通信用データを受信する受信装置と；
を具備していることを特徴とする照明制御システム。
【請求項２】
制御信号を伝送線に出力可能な主操作盤装置と；
照明用ランプが配設される器具本体と、前記照明用ランプを点灯する点灯回路部と、複数の可視光通信用データおよびこの可視光通信用データに対応する特定の制御信号を記憶している記憶部と、主操作盤装置から伝送線を介して制御信号が入力され、前記記憶部から特定の制御信号に対応した可視光通信用データを読み出し可視光通信用データに応じた通信信号を生成する主制御部と、前記照明用ランプが前記通信信号に応じた信号を含んだ波形で点灯をするように点灯回路部を制御する点灯制御部とを有する照明器具と；
照明用ランプから放射された可視光より可視光通信用データを受信し、主操作盤装置に対して追加情報の要求信号を可視光通信以外の手段にて送信可能に形成された受信装置と；
を具備していることを特徴とする照明制御システム。
【請求項３】
手動操作に応じて特定の制御信号を伝送線を介して主操作盤装置に出力する監視端末装置と；
を備え、主操作盤装置は、監視端末装置から出力された特定の制御信号を他の出力制御に優先して伝送線に出力することを特徴とする請求項１または２記載の照明制御システム。
【請求項４】
主操作盤装置は、可視光通信用データを設定、消去または変更し前記可視光通信用データに対応した特定の制御信号を生成可能に形成され、照明器具の主制御部は、主操作盤装置から伝送線に出力された前記可視光通信用データを記憶部に記憶させることを特徴とする請求項１ないし３いずれか一記載の照明制御システム。
【請求項５】
主操作盤装置は、複数の可視光通信用データに対する特定の制御信号を時間割ごとに伝送線に出力することを特徴とする請求項１ないし４いずれか一記載の照明制御システム。
【発明の詳細な説明】
【技術分野】
【０００１】
本発明は、照明用ランプから放射される可視光により各種データの通信が行える照明制御システムに関する。
【背景技術】
【０００２】
近年、照明光に信号を重畳して通信を行う可視光通信が検討されている。そして、通信用の配線を設置することなく、既存の照明調光システムを用いて可視光通信を行うことのできる照明制御システムが提案されている。例えば、複数の照明器具に接続して調光信号を送信することで各照明器具の光出力を変化させる照明制御装置を備え、照明制御装置は、トリガ信号が入力されると、情報信号を調光信号の周波数以上の周波数で変調して調光信号に重畳させた変調信号を各照明器具に送信し、各照明器具は、変調信号に応じて点滅する照明制御システムが提案されている(特許文献１参照。)。この従来技術の照明制御システムは、例えば、警報機から警報信号が発信されると、照明制御装置は、警報信号をトリガ信号として通常モードとは異なる情報伝送モードへ移行し、工場出荷時に予め記憶している非常警報を示すコードを読み出し、非常警報コードに対応した情報信号として調光信号の周波数よりも極めて高い周波数の信号を、調光信号のオン期間に周波数変調で重畳させ、この変調信号を調光信号線を介して照明器具へ送信する。そして、照明器具では、送信された変調信号に応じて光源の点滅を行うものである。
【特許文献１】特開２００６−２７８０４８号公報（第４−５頁、第１−８図）
【発明の開示】
【発明が解決しようとする課題】
【０００３】
特許文献１の照明制御システムは、警報信号に対応した非常警報など、１種類の情報信号を出力するように形成されているので、アドレスなど、器具情報における多種に亘る情報を入手できないものである。また、トリガ信号が外部の赤外線リモコンなどから取得可能に形成されているものであり、情報を得るための赤外線リモコンの操作が煩わしくなることがあるという欠点を有する。
【０００４】
本発明は、照明用ランプによる可視光通信において、複数の可視光通信用データを容易に入手可能な照明制御システムを提供することを目的とする。
【課題を解決するための手段】
【０００５】
請求項１に記載の照明制御システムの発明は、照明制御信号および特定の制御信号を伝送線に出力する主操作盤装置と；照明用ランプが配設される器具本体と、前記照明用ランプを点灯する点灯回路部と、複数の可視光通信用データおよびこの可視光通信用データに対応する特定の制御信号を記憶している記憶部と、主操作盤装置から伝送線を介して照明制御信号および特定の制御信号が入力され、前記記憶部から特定の制御信号に対応した可視光通信用データを読み出し可視光通信用データに応じた通信信号を生成するとともに照明制御信号に応じた調光信号を生成する主制御部と、前記照明用ランプが前記調光信号および前記通信信号に応じた調光点灯をするように点灯回路部を制御する点灯制御部とを有する照明器具と；照明用ランプから放射された可視光より可視光通信用データを受信する受信装置と；を具備していることを特徴とする。
【０００６】
本発明および以下の各発明において、特に言及しない限り、各構成は以下による。
【０００７】
照明用ランプは、蛍光ランプなどの放電ランプの他、発光ダイオード（ＬＥＤ）、有機ＥＬなどであってもよい。
【０００８】
伝送線は、主操作盤装置と照明器具との間を接続するものであり、主操作盤装置は、照明器具を監視制御し、照明制御信号および特定の制御信号を伝送線に出力しているものである。ここで、本発明の主操作盤装置は、伝送線を介して監視端末装置と接続し、この監視端末装置を監視制御する構成であってもよい。
【０００９】
照明器具は、点灯制御部、点灯回路部、記憶部および主制御部などを制御端末装置として器具本体の内部または外部に配設したものであってもよい。また、この制御端末装置は、点灯制御部および点灯回路部が点灯装置として別体に形成されたものであってもよい。
【００１０】
複数の可視光通信用データは、例えば照明器具のアドレス、名称やグルーピングの割付、照明用ランプの累積点灯時間、照明器具の累積駆動時間、設置位置などの他、ニュースなどの各種情報であってもよい。照明器具のアドレスは、製造時ないし出荷時に予め不揮発性のメモリに固定的に記憶させるようにしてもよいし、書換え自由なメモリに設定するようにしてもよい。
【００１１】
調光信号は、照明用ランプを調光点灯させる信号の他に、全光点灯、消灯させる信号を包含する。
【００１２】
受信装置は、表示部を具備していてもよく、表示部を具備せずに表示装置に可視光通信用データを送信する構成のものであってもよい。
【００１３】
本発明によれば、主操作盤装置から特定の制御信号が伝送線を介して照明器具に出力されることにより、特定の制御信号に対応した可視光通信用データが照明用ランプから放射された可視光に重畳して出力され、この出力された可視光を受信装置で受信することにより、当該可視光通信用データが入手される。そして、所望する可視光通信用データに対応する特定の制御信号を設定することにより、受信装置において所望の可視光通信用データが得られる。
【００１４】
請求項２に記載の照明制御システムは、制御信号を伝送線に出力可能な主操作盤装置と；照明用ランプが配設される器具本体と、前記照明用ランプを点灯する点灯回路部と、複数の可視光通信用データおよびこの可視光通信用データに対応する特定の制御信号を記憶している記憶部と、主操作盤装置から伝送線を介して制御信号が入力され、前記記憶部から特定の制御信号に対応した可視光通信用データを読み出し可視光通信用データに応じた通信信号を生成する主制御部と、前記照明用ランプが前記通信信号に応じた信号を含んだ波形で点灯をするように点灯回路部を制御する点灯制御部とを有する照明器具と；照明用ランプから放射された可視光より可視光通信用データを受信し、主操作盤装置に対して追加情報の要求信号を可視光通信以外の手段にて送信可能に形成された受信装置と；を具備していることを特徴とする。
【００１５】
本発明において、受信装置の可視光通信以外の手段にて送信可能とは、電波信号、赤外線信号、あるいはその他可視光以外の信号を用いて送信可能になっているものの全てを許容することを意味している。可視光通信以外の手段を用いる理由は、照明器具との通信に対して混信、干渉を防止するためである。
【００１６】
また、本発明において、受信装置と主操作盤装置のと送信には、中継器を介するようにしてもよく、この場合、伝送線に接続されて主操作盤装置と送信または送受信可能な端末器を用いると、伝送線を活用して遠距離間の送信が可能となる。
【００１７】
さらに本発明において、主操作盤装置は照明制御信号を出力するようにしてもよいが必須ではない。照明用ランプの制御は壁スイッチ、赤外線リモコン等によっても可能であるからである。 
【００１８】
本発明によれば、照明器具からは例えば自己のアドレスとともに内容的に簡単な情報を可視光通信にて送信し、受信装置では詳細な情報を必要と判断したときのみ、主操作盤装置に要求信号を送信する。主操作盤装置では、要求信号に応じて照明器具に詳細情報送出指令の制御信号を伝送線に送出する。照明器具では制御信号に応じた通信信号で照明用ランプを点灯するから、受信装置はこのときの可視光により詳細な情報を得る。
【００１９】
したがって、使用者は必要に応じて特定の照明器具の詳細な情報を得ることができる。このことは、換言すれば常時詳細な情報を与えられるという煩雑さを緩和できるということになる。
【００２０】
請求項３に記載の照明制御システムの発明は、請求項１または２記載の照明制御システムにおいて、手動操作に応じて特定の制御信号を伝送線を介して主操作盤装置に出力する監視端末装置と；を備え、主操作盤装置は、監視端末装置から出力された特定の制御信号を他の出力制御に優先して伝送線に出力することを特徴とする。
【００２１】
監視端末装置は、例えば壁スイッチ装置やリモコン装置からの制御信号を受信して伝送線に出力する送受信装置などである
【００２２】
本発明によれば、監視端末装置において、手動操作により可視光通信用データに対応する特定の制御信号を設定することにより、当該特定の制御信号が主操作盤装置から伝送線を介して照明器具に伝送され、当該可視光通信用データが照明用ランプの可視光に重畳されて出力され、受信装置にて受信される。
【００２３】
請求項４に記載の照明制御システムの発明は、請求項１ないし３いずれか一記載の照明制御システムにおいて、主操作盤装置は、可視光通信用データを設定、消去または変更し前記可視光通信用データに対応した特定の制御信号を生成可能に形成され、照明器具の主制御部は、主操作盤装置から伝送線に出力された前記可視光通信用データを記憶部に記憶させることを特徴とする。
【００２４】
本発明によれば、主操作盤装置において、可視光通信用データが設定、消去または変更されると、主操作盤装置から伝送線を介して照明器具に伝送され、当該可視光通信用データが照明器具の記憶部に記憶される。
【００２５】
請求項５に記載の照明制御システムの発明は、請求項１ないし４いずれか一記載の照明制御システムにおいて、主操作盤装置は、複数の可視光通信用データに対する特定の制御信号を時間割ごとに伝送線に出力することを特徴とする。
【００２６】
主操作盤装置は、特定の制御信号を伝送線に出力しない時間帯を設けてもよい。
【００２７】
本発明によれば、主操作盤装置から複数の可視光通信用データに対応する特定の制御信号が時間割ごとに伝送線に出力されるので、時間割にしたがって、受信装置にて異なる可視光通信用データが容易に入手できる。
【発明の効果】
【００２８】
請求項１の発明によれば、照明器具の記憶部に複数の可視光通信用データおよびこの可視光通信用データに対応する特定の制御信号が記憶され、特定の制御信号に対応した可視光通信用データが照明用ランプから放射された可視光に重畳して出力されるので、主操作盤装置から特定の制御信号を選択的に出力させることにより、受信装置にて所望の可視光通信用データを容易に入手することができる。
【００２９】
請求項２の発明によれば、必要な情報のみを選択的に要求して追加で得ることができるので、使用者の利便性を向上できるとともに、常時の可視光通信情報も簡素化可能になる。
【００３０】
請求項３の発明によれば、主操作盤装置は、手動操作によって監視端末装置から伝送された特定の制御信号を他の出力制御に優先して出力するので、受信装置において所望の可視光通信用データを確実に入手することができる。
【００３１】
請求項４の発明によれば、主操作盤装置は、可視光通信用データを設定、消去または変更し可視光通信用データに応じた特定の制御信号を生成可能に形成され、照明器具は、可視光通信用データを記憶部に記憶させるように形成されているので、可視光通信用データを使用状態や必要条件などの状況に応じて容易に設定、消去または変更することができる。
【００３２】
請求項５の発明によれば、主操作盤装置は、複数の可視光通信用データに対応する特定の制御信号を時間割ごとに伝送線に出力するので、可視光通信用データを入手するための手動操作をすることなく、時間割にしたがって、受信装置にて複数の可視光通信用データを容易に入手することができる。
【発明を実施するための最良の形態】
【００３３】
以下、本発明の一実施の形態について、図面を参照して説明する。
【００３４】
図１ないし図７は、本発明の一実施の形態を示し、図１は照明制御システムの構成を示す概略ブロック図、図２は主操作盤装置の構成を示す概略ブロック図、図３は照明器具の構成を示す概略ブロック図、図４は受信装置の構成を示す概略ブロック図、図５は照明器具の点灯制御部から出力される変調信号の波形図、図６は照明器具の点灯回路部から出力される出力電圧の波形図、図７は特定の制御信号の送信に対する時間の割付図である。
【００３５】
図１において、照明制御システム１は、主操作盤装置２、制御端末装置３、監視端末装置４、照明器具５および受信装置６を有して構成されている。主操作盤装置２から照明制御信号および特定の制御信号が伝送線７を介して制御端末装置３に出力され、制御端末装置３が照明制御信号に応じて器具本体５ａに配設している照明用ランプ８，８を点灯させるとともに、特定の制御信号に応じて可視光通信用データに対応する通信信号を照明用ランプ８，８から放射される可視光に重畳させて出力させ、受光装置６で可視光通信用データが取得されるものである。
【００３６】
主操作盤装置２は、システム全体を統括管理し、例えば照明ゾーン毎に一台設置され、伝送線７を介して複数の制御端末装置３（照明器具５）および複数の監視端末装置４を接続している。そして、図２に示すように、データ送受信部９、制御部１０、記憶部１１、時計部１２、画面入力部１３および電源部１４を有して構成されている。
【００３７】
データ送受信部９は、接続端子１５，１５を介して伝送線７に接続され、監視端末装置４等からの制御データおよび特定の制御信号などが入力され、また、照明用ランプ８，８を点灯制御させる照明制御信号や可視光通信用データを出力させる特定の制御信号などの出力を行うように形成されている。また、制御部１０は、マイコン等で構成され、照明制御信号および特定の制御信号などをデータ送受信部９から出力させるなど、各種の演算処理や制御を行うように形成されている。
【００３８】
記憶部１１は、制御端末装置３および監視端末装置４のそれぞれのアドレス、可視光通信用データなどの各種データが記憶される。時計部１２は、時間を計時する。画面入力部１３は、例えばタッチパネルを備え、可視光通信用データなどの各種データを入力可能に形成されている。そして、電源部１４は、図示しない外部電源から電力が入力され、制御部１０などに直流電源を供給して動作させる。
【００３９】
主操作盤装置２は、制御部１０の制御により、一定時間ごとにデータ送受信部９から照明制御信号および特定の制御信号を出力しているものである。そして、画面入力部１３において、可視光通信用データを新たに設定するための入力をすることができ、または、既に設定された可視光通信用データを消去または変更するための入力をすることができる。そして、これら可視光通信用データの設定、消去または変更が行われると、制御部１０は、当該可視光通信用データに対応した特定の制御信号を生成し、これらの可視光通信用データおよび特定の制御信号のデータを記憶部１１に記憶させる。そして、自動的にまたは画面入力部１３での手動操作によって、前記可視光通信用データおよび前記特定の制御信号のデータを制御端末装置３のアドレスに対応付けしたデータ信号でデータ送受信部９から伝送線７に出力する。制御端末装置３は、自己のアドレスに対応するデータ信号を受信して記憶する。
【００４０】
伝送線７は、複極（±２４Ｖ）の時分割多重信号で示されたデータを送受信する伝送線、あるいはイーサネットや電力線通信等を行う回線である。こうして構成された主操作盤装置２は、照明制御信号および特定の制御信号を制御端末装置３に伝送線７を介して出力する。
【００４１】
制御端末装置３は、ユニットに形成されて照明器具５の器具本体５ａの内部に配設され、伝送線７に接続されているとともに、図示しない電源線および照明用ランプ８，８に接続されている。そして、制御端末装置３は、図３に示すように、データ送受信部１６、記憶部１７、主制御部１８、点灯制御部１９、点灯回路部２０、計時部２１および電源部２２を有して構成されている。
【００４２】
データ送受信部１６は、接続端子２３，２３を介して伝送線７に接続され、伝送線７から入力された照明制御信号および特定の制御信号を主制御部１８に送出する。
【００４３】
記憶部１７は、複数の可視光通信用データおよび各可視光通信用データに対応する特定の制御信号を記憶している。可視光通信用データは、例えば、制御端末装置３を配設している照明器具５のアドレス、名称、グループの割付データや照明用ランプ８の累積点灯時間のデータなどである。
【００４４】
主制御部１８は、マイコンを有して形成され、伝送線７からデータ送受信部１６を介して照明制御信号および特定の制御信号が入力される。そして、記憶部１７から特定の制御信号に対応した可視光通信用データを読み出し、演算により当該可視光通信用データに応じた通信信号（シリアル信号）を生成する。また、演算により、照明制御信号に応じた調光信号を生成する。そして、演算生成した通信信号および調光信号を点灯制御部１９に送出するように形成されている。
【００４５】
点灯制御部１９は、照明用ランプ８，８が調光信号に応じた調光点灯をするようにかつ通信信号に応じた可視光通信用データを出力するように点灯回路部２０を制御するように形成されている。すなわち、点灯制御部１９は、図５に示すように、調光信号に通信信号が重畳した変調信号を生成して点灯回路部２０に出力する。通信信号の周波数は、調光信号の周波数よりも極めて高くなるようにしている。そして、各可視光通信用データに対して、通信信号の周波数を異ならせている。
【００４６】
点灯回路部２０は、点灯制御部１９から出力された前記変調信号に応じて照明用ランプ８，８を調光点灯させる。すなわち、図５に示す変調信号に対して、図６に示す出力電圧で照明用ランプ８，８を付勢する。照明用ランプ８，８は、調光信号に応じた可視光であって、通信信号が重畳した可視光を放射する。
【００４７】
図３において、計時部２１は、照明用ランプ８を交換したときからの累積点灯時間を計時する。主制御部１８は、当該累積点灯時間を可視光通信用データとして記憶部１７に記憶させる。そして、電源部２２は、図示しない外部電源から電力が入力され、主制御部１８などに直流電源を供給して動作させる。
【００４８】
そして、主操作盤装置２において新たに設定、消去または変更された可視光通信用データおよびこの可視光通信用データに対応した特定の制御信号のデータが主操作盤装置２から伝送線７に出力されると、制御端末装置３は、当該可視光通信用データおよび特定の制御信号のデータを伝送線７からデータ送受信部１６を介して入力する。そして、主制御部１８は、当該可視光通信用データおよび特定の制御信号のデータを記憶部１７に記憶させるように形成されている。
【００４９】
図１において、監視端末装置４は、例えば、手動操作に応じて出力信号を生成する信号出力機能を備えた壁スイッチ装置であり、伝送線７に接続されている。そして、照明用ランプ８，８を点消灯させる点滅制御信号や調光点灯させる調光制御信号からなる照明制御信号を伝送線７に出力し主操作盤装置２に伝送させるように形成されている。また、手動操作に応じて可視光通信用データに対応する特定の制御信号を設定可能に形成されており、当該特定の制御信号を主操作盤装置２に出力するように形成されている。
【００５０】
主操作盤装置２は、監視端末装置４から特定の制御信号または照明制御信号が入力されると、他の出力制御に優先して、当該特定の制御信号または照明制御信号を伝送線７に出力するように形成されている。例えば、主操作盤装置２からある特定の制御信号が出力されて、照明用ランプ８，８から当該特定の制御信号に対応する可視光通信用データが出力されているときに、監視端末装置４から異なる特定の制御信号が出力された場合、監視端末装置４から出力された特定の制御信号に対応する可視光通信用データが照明用ランプ８，８から出力される。すなわち、制御端末装置３は、監視端末装置４によって優先的に制御される。これにより、照明用ランプ８，８は、監視端末装置４によって照明制御されるとともに、特定の制御信号に対応した可視光通信用データが通信信号で可視光に重畳されて出力される。
【００５１】
そして、照明器具５は、器具本体５ａが制御端末装置３を収納し、かつ照明用ランプ８，８を配設している。照明器具５には、伝送線７の他、制御端末装置３の点灯回路部１９に接続された図示しない電源線が引き込まれている。照明用ランプ８，８は、例えば直管形蛍光ランプである。
【００５２】
そして、受信装置６は、照明用ランプ８，８から放射された可視光を受信し、当該可視光に重畳されている通信信号から可視光通信用データを入手するように形成されている。受信装置６は、図４に示すように、受光部２４、フィルター回路部２５、表示部２６、記憶部２７、制御部２８および電源部２９を有して形成されている。
【００５３】
受光部２４は、照明用ランプ８，８から放射された可視光を受信する。フィルター回路部２５は、可視光から通信信号を取得し、制御部２８に送出する。表示部２６は、可視光通信用データの内容を表示可能に形成されている。
【００５４】
そして、制御部２８は、フィルター回路部２５が取得した通信信号から可視光通信用データを特定し、かつ可視光通信用データの内容を取得して、表示部２６に表示させるとともに記憶部２７に記憶させる。電源部２９は、電池を具備し、制御部２８などに動作電源を供給している。こうして、主操作盤装置２から出力されている特定の制御信号に対応した可視光通信用データが受信装置６で視認される。
【００５５】
次に、本発明の一実施の形態の作用について述べる。
【００５６】
主操作盤装置２から一定時間ごとに照明制御信号および特定の制御信号が出力されているので、制御端末装置３の主制御部１８は、照明制御信号に応じた調光信号を生成し、特定の制御信号に応じた通信信号を生成する。そして、制御端末装置３の点灯制御部１９は、調光信号に通信信号を重畳させた変調信号によって点灯回路部２０を制御し、点灯回路部２０は、前記変調信号に応じた出力電圧で照明用ランプ８，８を調光点灯させる。照明用ランプ８，８は、ほぼ調光信号に応じた可視光を放射する。この可視光には、前記通信信号が重畳されている。
【００５７】
受信装置６は、可視光の照射範囲内で、受光部２４によって可視光を受信し、フィルター回路部２５で可視光から通信信号を取得する。そして、制御部２８は、取得した通信信号から可視光通信用データを特定し、特定した可視光通信用データの内容を表示部２６に表示させる。これにより、表示部２６を視認するだけで、器具情報である可視光通信用データ例えば累積点灯時間が容易に確認される。
【００５８】
このように、主操作盤装置２から一定時間ごとに照明制御信号とともに特定の制御信号が出力されて、照明用ランプ８，８から通信信号が重畳した可視光が放射されているので、受信装置６を可視光の照射範囲内に位置させるのみで、重要な器具情報である可視光通信用データ（累積点灯時間）を容易に確認することができる。
【００５９】
そして、他の可視光通信用データを入手したいときには、監視端末装置４において、手動操作により当該可視光通信用データに対応した特定の制御信号を出力させる。当該特定の制御信号は、主操作盤装置２へ出力された後、主操作盤装置２から他の出力制御に優先して制御端末装置３に伝送される。そして、制御端末装置３の主制御部１８は、記憶部１７に記憶されている複数の可視光通信用データから当該特定の制御信号に対応した可視光通信用データを読み出し、この可視光通信用データに応じた通信信号を生成する。この通信信号は、可視光に重畳されて出力され、受信装置６で受信される。そして、受信装置６において、当該通信信号に応じた可視光通信用データが表示部２６に表示される。これにより、所望の可視光通信用データの内容が確認される。
【００６０】
このように、制御端末装置３の記憶部１７は、複数の可視光通信用データ例えばアドレス、名称、グループの割付および累積点灯時間などを記憶しているので、必要に応じて監視端末装置４を手動操作することにより、所望の器具情報である可視光通信用データを容易に入手することができる。なお、主操作盤装置２の画面入力部１３において、監視端末装置４と同様の手動操作をすることにより、受信装置６において所望の可視光通信用データを容易に入手することができる。
【００６１】
そして、主操作盤装置２の画面入力部１３において、手動操作により、可視光通信用データが新たに設定され、または、既存の可視光通信用データが消去または変更されると、それらの可視光通信用データが制御端末装置３の記憶部１７に新たに記憶され、記憶部１７から消去され、または変更されて記憶されるので、器具情報である可視光通信用データを使用状態や必要条件などの状況に応じて容易に設定、消去または変更することができる。
【００６２】
そして、主操作盤装置２は、図７に示すように、複数の可視光通信用データに対応する特定の制御信号を時間割ごとに伝送線７に出力するようにしてもよい。そして、可視光通信用データを取得したいときには、例えば、受信装置６を可視光の照射範囲内に設置し、時間割に応じた所定の時刻で取得した可視光通信用データを記憶部２７に記憶させ、その後、記憶部２７から可視光通信用データを読み出して確認するようにする。これにより、可視光通信用データを入手するための手動操作をすることなく、時間割にしたがって、所望の可視光通信用データを容易に入手することができる。また、例えば１秒毎に異なる可視光通信用データを送信するように設定しておけば、短時間で全ての可視光通信用データを入手することができる。
【００６３】
なお、図７において、全ての照明器具５(制御端末装置３)に対して、同一の可視光通信用データに対応する特定の制御信号を出力しているが、照明器具５(制御端末装置３)ごとに、異なる可視光通信用データに対応する特定の制御信号を出力するようにしてもよい。
【００６４】
図８は、本発明の他の実施形態を示す照明制御システムの構成の概略ブロックである。図１と同じまたは対応する部分には同じ符号またはダッシュを付してある。本実施形態においては、受信装置６´が照明用ランプ８から放射された可視光より可視光通信用データを受信し、主操作盤装置２に対して追加情報の要求信号を可視光通信以外の手段例えば赤外線通信にて送信可能に形成されたものである。
【００６５】
例えば、各照明器具５からは自己のアドレスと簡単な情報（例えば図７に示すような可視光通信データの種別）が送信され、使用者は受信装置６´に表示等されたアドレスおよび簡単な情報（種別）を見て、詳細な内容すなわち追加情報の必要性を判断する。
【００６６】
そして、必要と判断した場合には、受信装置６´を操作して要求信号を送出する。
【００６７】
８０は受信端末装置であって、伝送線７に接続され、前記受信装置６´からの要求信号を受信して、主操作盤装置２に対する追加情報の要求信号を伝送線７に送出する。
【００６８】
受信装置６´および受信端末装置８０間の赤外線を使用した通信手段の具体的構成については詳細説明を省略するが、当業者においては周知の手段を用いる等容易に実施可能である。
【００６９】
主操作盤装置２は要求信号に応じて指定されたアドレスの照明器具５に詳細情報送出指令の制御信号を伝送線７を介して送出する。照明器具５では制御信号に応じた通信信号で照明用ランプ８を点灯するから、受信装置６´はこのときの可視光により詳細な情報を得る。
【図面の簡単な説明】
【００７０】
【図１】本発明の一実施の形態を示す照明制御システムの構成の概略ブロック図。
【図２】同じく、主操作盤装置の構成を示す概略ブロック図。
【図３】同じく、照明器具の構成を示す概略ブロック図。
【図４】同じく、受信装置の構成を示す概略ブロック図。
【図５】同じく、照明器具の点灯制御部から出力される変調信号の波形図。
【図６】同じく、照明器具の点灯回路部から出力される出力電圧の波形図。
【図７】同じく、特定の制御信号の送信に対する時間の割付図。
【図８】本発明の他の実施形態を示す照明制御システムの構成の概略ブロック図。
【符号の説明】
【００７１】
１…照明制御システム
２…主操作盤装置
４…監視端末装置
５…照明器具
５ａ…器具本体
６、６´…受信装置
１７…記憶部
１８…主制御部
１９…点灯制御部
２０…点灯回路部
８０…受信端末装置
【図１】
2009048988.tif 000003
【図２】
2009048988.tif 000004
【図３】
2009048988.tif 000005
【図４】
2009048988.tif 000006
【図５】
2009048988.tif 000007
【図６】
2009048988.tif 000008
【図７】
2009048988.tif 000009
【図８】
2009048988.tif 000010